(57)【要約】【課題】タッチパネルを用いて、簡単かつ迅速に、フォルダ操作を行うことができる入力装置を提供する。【解決手段】入力装置１０は、階層構造を有するフォルダのオブジェクトを表示する表示部３２と、表示部３２に対する押圧入力を受け付ける入力部３４と、入力部３４に対する押圧荷重を検出する荷重検出部４０と、表示された第１のフォルダのオブジェクトの位置に対応する入力部３４に対する、第１の荷重基準を満たさない状態から満たす状態へ変化する押圧荷重が、荷重検出部４０により検出された際に、第１のフォルダをオープンし、この第１のフォルダをオープンした後に、入力部３４に対する、第１の荷重基準よりも高い第２の荷重基準を満たさない状態から満たす状態へ変化する押圧荷重が、荷重検出部４０により検出された際に、第１のフォルダの直下の階層に含まれる第２のフォルダをオープンするように制御する制御部２０と、を備える。【選択図】図７
2010181934.tif 000002
【特許請求の範囲】
【請求項１】
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された第１のフォルダのオブジェクトの位置に対応する前記入力部に対する、第１の荷重基準を満たさない状態から満たす状態へ変化する押圧荷重が、前記荷重検出部により検出された際に、当該第１のフォルダをオープンし、該第１のフォルダをオープンした後に、前記入力部に対する、前記第１の荷重基準よりも高い第２の荷重基準を満たさない状態から満たす状態へ変化する押圧荷重が、前記荷重検出部により検出された際に、当該第１のフォルダ直下の階層に含まれる第２のフォルダをオープンするように制御する制御部と、
を備えることを特徴とする入力装置。
【請求項２】
前記制御部は、前記入力部に対する、前記第２の荷重基準を満たす状態から満たさない状態へ変化する押圧荷重が、前記荷重検出部により検出された際に、当該第２のフォルダをクローズし、前記第１の荷重基準を満たす状態から満たさない状態へ変化する押圧荷重が前記荷重検出部により検出された際に、前記第１のフォルダをクローズするように制御する、請求項１に記載の入力装置。
【請求項３】
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された第１のフォルダと、該第１のフォルダ直下の階層に含まれる第２のフォルダと、がオープンしている状態で、前記入力部に対する、第１の荷重基準を満たさない状態から満たす状態へ変化する押圧荷重が、前記荷重検出部により検出された際に、前記第２のフォルダをクローズし、前記第１の荷重基準よりも高い第２の荷重基準を満たさない状態から満たす状態へ変化する押圧荷重が前記荷重検出部により検出された際に、前記第１のフォルダをクローズするように制御する制御部と、
を備えることを特徴とする入力装置。
【発明の詳細な説明】
【技術分野】
【０００１】
本発明は、入力装置に関するものであり、特に、タッチパネルを有する入力装置に関するものである。
【背景技術】
【０００２】
例えば携帯電話のような携帯端末において、ユーザが端末の操作を行う際に使用する入力装置は、各端末の機能や用途に応じて様々なものが開発されている。多くの場合、携帯端末本体の表面に予め配設された機械式のキーまたはボタンなどを、ユーザが指などで直接押下することによって、入力操作を行う構成になっている。
【０００３】
このような端末における入力装置の機械的なキー（例えばテンキー等）は、当該端末の主要な用途に応じて予め配置されているのが普通であり、一般的に、最初に規定されたキーの物理的配置を、後から変更することはできない。
【０００４】
ところで、最近では、携帯電話にデジタルカメラや音楽再生の機能を搭載したものがあるように、小型の携帯端末に多種多様な機能が組み込まれている。携帯電話のように、端末の主要な用途以外に補助的な機能が数多く搭載されているものや、ＰＤＡ（Personal Digital Assistant：携帯情報端末）等のように、１つの端末でスケジュール管理や住所録など、主要な用途を複数有するものもある。このような端末においては、キーの配置が固定されていると、使用する機能によっては、操作入力時に著しく不便さを感じることがある。
【０００５】
このような操作入力の際の不便さを解消するために、表示部を構成する液晶表示画面の前面に透明な入力部を重ねて配設することにより構成したタッチパネルを備える入力装置が開示されている（例えば、特許文献１参照）。このようなタッチパネルを有する入力装置は、一般的に、タッチパネルの表示画面上に、操作キーやボタンなどの画像ならびに入力を促す文字または文字列（以下、「オブジェクト」と記す）を表示する。表示画面上に表示されたオブジェクトをユーザが押圧すると、その位置に対応するタッチパネルの入力部が入力を受け付けるようになっている。
【０００６】
上記特許文献１に記載の折り畳み型携帯電話機は、タッチパネルの表示画面上に任意にオブジェクトの配置を表示させて、ユーザの操作入力を受け付けることができ、自由なキーなどの配置を構成することが可能である。したがって、この携帯電話機は、端末の各機能を切り替える毎に、その機能に応じてオブジェクトの配置を自在に変更することにより、極めて良好な操作性を提供することができる。例えば、携帯電話機に搭載されているデジタルカメラ機能を使用する際は、タッチパネル上にデジタルカメラ用の操作部を構成するオブジェクトを表示して操作入力を受け付けることができる。一方、この携帯電話機を用いて電子メールなどの文字を入力する際は、タッチパネル上にパーソナルコンピュータ（ＰＣ）のようなキーボードを構成するオブジェクトを表示して入力を受け付けることができる。このように、タッチパネルを備えることにより、１つの入力装置を、複数の機能にそれぞれ最適化して操作入力を受け付けることができる。
【０００７】
また、タッチパネルを有する入力装置は、表示部上に表示されたオブジェクトにユーザが指先などで直接触れる（タッチする）入力方式により入力を受け付けるため、ユーザは極めて直感的な操作を行うことができる。すなわち、ユーザは、タッチパネルの画面に表示された案内に従って、画面に表示されたオブジェクトに指先などで直接触れることにより操作を行う。このため、ユーザは、画面に表示された誘導に応じて直感的な操作により非常に容易に端末を動作させることができ、結果的に誤操作を低減させる効果も期待できる。
【０００８】
このように、タッチパネルは、入力部の構成の自由度を高めることができ、かつ、極めて直感的に操作入力を行うことができるというメリットのため、タッチパネルを備える入力装置を有する端末装置はますます増加傾向にある。
【０００９】
上述したようなタッチパネルを有する入力装置は、携帯端末以外においても、例えば銀行などのＡＴＭ（現金自動預入支払機）や、駅などの券売機に配設され、現在日常的に利用されている。さらに、ファーストフード店などの店舗においては、従業員が顧客の注文を処理する際、上述したようなタッチパネルを有する入力装置を備えた端末装置を用いて業務が行われている。入力装置にタッチパネルを用いることにより、タッチパネル以外のキーボードなどの、機械式の操作ボタンまたはキーなどは必須の要素ではなくなる。したがって、端末装置本体に機械式の操作ボタン等を配置する領域が少なくて済むため、端末装置自体を全体的に小型化することができ、様々な店内や駅構内などにおける端末装置の設置場所の自由度を高めることもできる。
【００１０】
また、パーソナルコンピュータ（ＰＣ）の操作入力も、タッチパネルを備えたディスプレイにより行うことができる。一般的に、ＰＣに対する操作入力は、使用するアプリケーションプログラム（以下、単に「アプリケーション」という）により様々である。しかしながら、近年のＧＵＩ（Graphical User Interface）の発達により、アプリケーションの多くは、直感的な操作を行うことができるように工夫されている。また、使用するアプリケーションが異なっていても、ディスプレイに表示されるデスクトップ上で行なわれるファイルやフォルダの操作は、直感的な操作性に対する要求から、共通する操作が多い。したがって、ＰＣの操作入力は、従来、専らキーボードやマウスなどの入力デバイスを用いて行なわれることが多かったが、このような操作入力を、タッチパネルを備えたディスプレイを用いることにより、極めて直感的に行うことができる（例えば、特許文献２参照）。
【００１１】
図１１は、上記特許文献２に記載の情報処理装置を含むデータ転送システムの構成を概略的に示す図である。図１１において、データ転送システム１００は、データ記憶再生装置１１０と、携帯型のデータ記憶再生装置（携帯型記憶再生装置）１２０とで構成されている。データ記憶再生装置１１０は、データ（例えば楽曲データ）の記憶および再生の機能を有し、携帯型記憶再生装置１２０も、楽曲データの記憶および再生の機能を有する。データ記憶再生装置１１０と、携帯型記憶再生装置１２０とは、通信ケーブル１３０を介して通信接続される。
【００１２】
データ記憶再生装置１１０は、ＣＤからリッピングした楽曲データや、楽曲配信サーバ（図示せず）からネットワークＮＴを経てダウンロードした楽曲データを記憶することができる。ユーザは、タッチパネル付表示部１４０上で操作を行うことにより、データ記憶再生装置１１０に記憶された楽曲データを、携帯型記憶再生装置１２０に転送することができる。したがって、携帯型記憶再生装置１２０は、転送された楽曲データを記憶することにより、通信ケーブル１３０との接続を切断した後においても、楽曲データを再生することができる。
【００１３】
図１２は、データ記憶再生装置１１０において、タッチパネル付表示部１４０上でユーザがフォルダの操作を行う様子を概略的に説明する図である。図１２（Ａ）に示すように、タッチパネル付表示部１４０には、アプリケーションを起動するためのアイコンＡ１００およびＡ２００が表示されている。ユーザは、これらのアイコンを指先などで直接触れる（タッチする）ことにより、対応するアプリケーションを起動することができる。この起動の操作は、マウスのような入力デバイスで行うダブルクリックに相当する、タッチパネル付表示部１４０上のアイコンを素早く２回タッチする（ツータッチ）動作で行う設定などが想定される。あるいは、マウスのような入力デバイスで行うシングルクリックに相当する、タッチパネル付表示部１４０上のアイコンを１回タッチする（ワンタッチ）動作で行う設定も想定できる。
【００１４】
また、タッチパネル付表示部１４０には、フォルダＡを表すアイコンＦ１００およびフォルダＢを表すアイコンＦ２００が表示されている。これらのフォルダＡおよびフォルダＢは、従来のディレクトリの階層構造に従って、各フォルダ内に、ファイルおよび／または更なるフォルダを複数含めることができる。また、これらのフォルダＡおよびフォルダＢについての操作を行う際には、従来のＰＣで行われてきたフォルダの操作方法に対応する操作を行うことができる。
【００１５】
したがって、図１２（Ａ）に示すように、例えばフォルダＡのアイコンＦ１００をツータッチ（またはワンタッチ）する動作をユーザが行うことにより、図１２（Ｂ）に示すように、フォルダＡに含まれるファイルを表示させることができる（以下、フォルダを「オープンする」という）。フォルダＡ内に更に別のフォルダが含まれる場合には、そのフォルダをさらにツータッチ（またはワンタッチ）する動作をユーザが行うことにより、そのフォルダに含まれるファイルおよび／または更なるフォルダを表示させることができる（以下、フォルダを「オープンする」という）。図１２（Ｂ）においては、フォルダウインドウにより、フォルダＡに含まれるファイルを表示している。
【００１６】
また、一般的に、データ記憶再生装置１１０のタッチパネル付表示部１４０のような入力装置においては、フォルダに含まれるファイルなどを表示しているフォルダウインドウを閉じる操作を行う場合、閉じる動作を行うためのアイコンに触れる操作を行う。例えば、図１２（Ｂ）に示す例では、フォルダウインドウの右上に表示されているバツ印のアイコンをタッチすることにより、このフォルダウインドウを閉じる（以下、フォルダを「クローズする」という）ことができる。また、あるフォルダに含まれるファイルなど表示している場合に、ディレクトリの階層構造において直近上位の階層に移動する（以下、この操作も、当該フォルダを「クローズする」という）場合にも、例えば「戻る」などのアイコンをタッチする。
【先行技術文献】
【特許文献】
【００１７】
【特許文献１】特開２００６−３１１２２４号公報
【特許文献２】特開２００８−２５０９２４号公報
【発明の概要】
【発明が解決しようとする課題】
【００１８】
ところで、近年、フラッシュメモリなどの記憶デバイスのコストが低廉化したことに伴い、あらゆる端末の記憶容量が著しく増大している。例えば携帯端末のような小型の端末であったとしても、極めて多数のフォルダやファイルを記憶させることができるようになっている。端末に記憶しているファイルやフォルダなどが多数になるにつれて、ディレクトリの階層構造は複雑化し、さらに、階層の数も多段化する。このように複雑化、多段化した階層に含まれる、多数のファイルやフォルダの中から目的のファイルやフォルダに到達するための操作を行うには、上述したようなフォルダのオープンやクローズを行う操作を多数回繰り返す必要がある。
【００１９】
例えば、目的のフォルダが存在する階層が、現在のフォルダ階層（カレントディレクトリ）より複数階層下位である場合、一階層ごとにフォルダのオブジェクトに対する操作入力を行い、フォルダをオープンさせる必要がある。具体的には、例えば上述したタッチパネル付表示部１４０の場合、ユーザは、フォルダのアイコンを何度も繰り返しタッチする動作を行わなければならない。また、目的のフォルダが存在する階層が、現在のフォルダ階層より複数階層上位である場合にも同様に、一階層ごとに、「戻る」などのオブジェクト（アイコン）に対する操作入力を行わなければならない。
【００２０】
このように、従来の入力装置においては、上位の階層に移動する際にも、下位の階層に移動する際にも、一階層ごとにオブジェクトに対する操作入力が要求されるため、複数の階層構造を有するフォルダの階層移動を行う際は、時間および手間がかかっていた。
【００２１】
したがって、かかる事情に鑑みてなされた本発明の目的は、タッチパネルを用いて、簡単かつ迅速に、フォルダ操作を行うことができる入力装置を提供することにある。
【課題を解決するための手段】
【００２２】
上記目的を達成する請求項１に係る入力装置の発明は、
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された第１のフォルダのオブジェクトの位置に対応する前記入力部に対する、第１の荷重基準を満たさない状態から満たす状態へ変化する押圧荷重が、前記荷重検出部により検出された際に、当該第１のフォルダをオープンし、該第１のフォルダをオープンした後に、前記入力部に対する、前記第１の荷重基準よりも高い第２の荷重基準を満たさない状態から満たす状態へ変化する押圧荷重が、前記荷重検出部により検出された際に、当該第１のフォルダ直下の階層に含まれる第２のフォルダをオープンするように制御する制御部と、
を備えることを特徴とするものである。
【００２３】
請求項２に係る入力装置の発明は、請求項１に記載の入力装置において、
前記制御部は、前記入力部に対する、前記第２の荷重基準を満たす状態から満たさない状態へ変化する押圧荷重が、前記荷重検出部により検出された際に、当該第２のフォルダをクローズし、前記第１の荷重基準を満たす状態から満たさない状態へ変化する押圧荷重が前記荷重検出部により検出された際に、前記第１のフォルダをクローズするように制御するものである。
【００２４】
また、請求項３に係る入力装置の発明は、
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された第１のフォルダと、該第１のフォルダ直下の階層に含まれる第２のフォルダと、がオープンしている状態で、前記入力部に対する、第１の荷重基準を満たさない状態から満たす状態へ変化する押圧荷重が、前記荷重検出部により検出された際に、前記第２のフォルダをクローズし、前記第１の荷重基準よりも高い第２の荷重基準を満たさない状態から満たす状態へ変化する押圧荷重が前記荷重検出部により検出された際に、前記第１のフォルダをクローズするように制御する制御部と、
を備えることを特徴とするものである。
【発明の効果】
【００２５】
本発明の入力装置によれば、フォルダを複数回オープンする操作および複数回クローズする操作を、一連の動作で一括して行うことができる。したがって、複数の階層構造を有するフォルダの階層移動を、簡単かつ迅速に行うことができる。
【図面の簡単な説明】
【００２６】
【図１】本発明の実施の形態に係る入力装置を備える携帯電話の外観斜視図である。
【図２】本実施の形態に係る携帯電話の内部構成を示す機能ブロック図である。
【図３】図２に示した携帯電話のタッチパネル、荷重検出部、および振動部の実装構造の例を説明する図である。
【図４】第１実施の形態によりフォルダに対してオープンおよびクローズの動作を行う際の様子を説明する概念図である。
【図５】ユーザがタッチパネルの入力部を押圧する際に、荷重検出部が検出する押圧荷重の時間変化の例を概略的に表すグラフである。
【図６】第１実施の形態に係るフォルダのオープンおよびクローズの処理を説明するフローチャートである。
【図７】第１実施の形態の処理に基づくフォルダのオープン動作の具体例を説明する図である。
【図８】第１実施の形態の処理に基づくフォルダのクローズ動作の具体例を説明する図である。
【図９】第２実施の形態に係るフォルダのクローズの処理を説明するフローチャートである。
【図１０】第２実施の形態の処理に基づくフォルダのクローズ動作の具体例を説明する図である。
【図１１】従来技術による情報処理装置を含むデータ転送システムの構成を概略的に示す図である。
【図１２】従来技術によるデータ記憶再生装置において、タッチパネル付表示部上でユーザがフォルダの操作を行う様子を概略的に説明する図である。
【発明を実施するための形態】
【００２７】
以下、本発明の各実施の形態について、図面を参照して説明する。なお、以下の各実施の形態においては、本発明の入力装置を具える携帯端末の一例として、携帯電話を想定して説明する。しかしながら、本発明の入力装置が適用できる携帯端末は携帯電話に限定されるものではなく、例えばＰＤＡなどタッチパネルを有する任意の携帯端末などに適用できる。また、本発明は、携帯端末に限定されるものでもなく、上述したような銀行のＡＴＭや駅の券売機など、タッチパネルを有する任意の入力端末にも適用できる。
【００２８】
（第１実施の形態）
図１は、本発明の第１実施の形態に係る入力装置を備える携帯電話１０の概略構成を示す外観斜視図である。この携帯電話１０は、端末本体の前面に、一部切り欠いて示すように、液晶ディスプレイ（ＬＣＤ）または有機ＥＬディスプレイなどに種々の情報およびキーやボタンなどの形状を描画してこれらの配列を表示する表示部３２を備えている。また、この表示部３２の前面には、ユーザの指やスタイラスペンなどによる入力を受け付けるマトリクススイッチ等で構成した入力部３４を配設する。本実施の形態では、これら表示部３２と入力部３４とを含めてタッチパネル３０を構成している。携帯電話１０はさらに、マイクなどにより構成される音声入力部７０、スピーカなどにより構成される音声出力部８０、および、少なくとも１つの機械的なキーにより構成されるキー入力部９０も備えている。
【００２９】
他にも、携帯電話１０は、必要な機能に応じて、デジタルカメラ機能部、ワンセグ放送用チューナ、赤外線通信機能部などの近距離無線通信部、および各種インタフェース等を備える場合もあるが、これらの詳細については図示および説明を省略する。
【００３０】
図２は、本実施の形態に係る携帯電話１０の内部構成を概略的に示す機能ブロック図である。図２に示すように、携帯電話１０は、制御部２０と、タッチパネル３０と、荷重検出部４０と、振動部５０と、記憶部６０と、音声入力部７０と、音声出力部８０と、キー入力部９０と、を備えている。制御部２０は、携帯端末１０の各機能ブロックをはじめとして携帯端末１０全体を制御および管理する。タッチパネル３０は、上述したように、ユーザからの入力を受け付ける入力部３４を、表示部３２の前面に重畳させて配設することにより構成する。このような構成により、タッチパネル３０は、ユーザからの操作入力を受け付けると共に、各アプリケーションに応じて入力結果など各種情報の表示を行う。
【００３１】
タッチパネル３０の入力部３４は、ユーザの指先やスタイラス等の接触（押圧）による入力を検知する（受け付ける）ことにより、当該接触による入力が検知された位置に対応する信号を出力する。このタッチパネル３０は、例えば抵抗膜方式や静電容量方式などの公知のものを用いて構成する。表示部３２は、各アプリケーションに対応する表示を行う他、入力部３４へのユーザの操作入力を受け付ける各種キーやボタンなどで構成するユーザインタフェースを所定の表示領域に描画して表示する。また、表示部３２は、後述するフォルダやファイルのアイコンも表示する。以下、このように、タッチパネル３０の入力部３４に対するユーザの操作入力を受け付けるために、表示部３２に表示する各種キーやボタンまたはフォルダやファイルのアイコンなどの画像を、単に「オブジェクト」と記す。
【００３２】
荷重検出部４０は、タッチパネル３０（または入力部３４）に対する押圧荷重を検出するもので、例えば歪みゲージセンサを用いて構成する。振動部５０は、タッチパネル３０を振動させるもので、例えば、圧電素子または超音波振動子などを用いて構成する。なお、荷重検出部４０および振動部５０と、タッチパネル３０との構成上の関係については後述する。
【００３３】
記憶部６０は、各種アプリケーションおよび入力された各種情報などを記憶するとともに、ワークメモリなどとしても機能する。また、記憶部６０は、各アプリケーションに応じて使用される各種のオブジェクトを含んだ複数のテンプレートなども記憶する。
【００３４】
音声入力部７０は、ユーザの音声などを入力信号に変換して制御部２０に伝達する。音声出力部８０は、制御部２０から伝達された音声信号を音声に変換して出力する。キー入力部９０は、ユーザによる操作入力に応じて、対応する信号を制御部１０に送信する。キー入力部９０を構成する各種キーは、使用するアプリケーションに従って、その用途および機能が規定される。
【００３５】
なお、携帯電話１０はさらに、音声通話および電子メールのデータなど各種情報をインターネットや無線通信等を介して基地局と送受信するアンテナおよび無線通信部など、通常の携帯電話としての機能を提供するために必要な各種機能部も備えている。しかしながら、これらは全て公知技術のものと特に変わるところはないため、説明を省略する。
【００３６】
次に、上述した荷重検出部４０および振動部５０と、タッチパネル３０との構成上の関係について説明する。
【００３７】
図３は、図２に示した携帯電話１０のタッチパネル３０、荷重検出部４０、および振動部５０の実装構造の一例を示す図である。図３（Ａ）は要部断面図であり、図３（Ｂ）は要部平面図である。
【００３８】
タッチパネル３０に各種のオブジェクトを表示する表示部３２は、筐体１２内に収納保持する。表示部３２上には、弾性部材からなるインシュレータ３６を介して、入力部３４を保持する。なお、本実施の形態に係る入力装置は、表示部３２および入力部３４を平面視で矩形状とする。図３においては、タッチパネル３０は、正方形状として示してあるが、タッチパネル３０を実装する携帯端末の仕様に応じて、長方形としてもよい。また、この入力装置は、入力部３４を、図３（Ｂ）に仮想線で示す表示部３２の表示領域Ａから外れた４隅に配設したインシュレータ３６を介して、表示部３２に保持する。
【００３９】
また、筐体１２には、表示部３２の表示領域から外れた入力部３４の表面領域を覆うようにアッパカバー１４を設け、このアッパカバー１４と入力部３４との間に、弾性部材からなるインシュレータ１６を配設する。
【００４０】
なお、入力部３４は、例えば、表面すなわち操作入力を受け付ける面が透明フィルムで構成され、裏面がガラスで構成され、操作面が押圧されると、押圧力に応じて表面の透明フィルムが微少量撓む（歪む）構造のものを用いる。
【００４１】
さらに、本実施の形態に係る入力装置は、入力部３４の表面の透明フィルム上で、アッパカバー１４で覆われる各辺の近傍に、入力部３４に加わる押圧荷重（押圧力）を検出するための歪みゲージセンサをそれぞれ接着等により設ける。また、入力部３４の裏面のガラス面上で、対向する２つの辺の近傍には、入力部３４を振動させるための圧電素子または超音波振動子などを、それぞれ接着等により設ける。すなわち、図３に示す入力装置は、図２に示した荷重検出部４０を４つの歪みゲージセンサを用いて構成し、振動部５０を２つの振動子を用いて構成する。振動部５０は、振動を発生させることにより、入力部３４を押圧しているユーザの指もしくはスタイラスペンなどの押圧物に対して振動を伝えることができる。また、振動部５０は、例えば、２つの超音波振動子を同相で駆動する。なお、図３（Ｂ）は、図３（Ａ）に示した筐体１２、アッパカバー１４、およびインシュレータ１６の図示を省略している。
【００４２】
本実施の形態に係る入力装置は、制御部２０において、入力部３４で検知される入力を監視するとともに、荷重検出部４０で検出される押圧荷重を監視する。制御部２０は、荷重検出部４０により検出される押圧荷重が、所定の荷重基準（基準値）を満たすか否かを判断することができる。なお、荷重検出部４０は、例えば、４つの歪みゲージセンサの出力の平均値から荷重を検出する。
【００４３】
ここで、「所定の荷重基準」とは、後述するフォルダのオープンまたはクローズの動作を行うための基準として、荷重検出部４０により検出される押圧荷重の基準を設定したものである。この所定の荷重基準は、携帯電話１０の初期設定またはユーザによる設定変更により設定することができる。また、荷重検出部４０は、押圧荷重の時間的な変化を監視することにより、入力部３４に対する、所定の荷重基準を満たさない状態から満たす状態へ変化する押圧荷重を検出することができる。同様に、荷重検出部４０は、押圧荷重の時間的な変化を監視することにより、入力部３４に対する、所定の荷重基準を満たす状態から満たさない状態へ変化する押圧荷重を検出することもできる。
【００４４】
なお、上述の説明では、荷重基準の値を「押圧荷重のしきい値」に見立て、荷重基準の値に達した場合に「荷重基準を満たす」と判定する態様について説明した。以下も、このような態様により判定する場合について説明するが、「荷重基準を満たす」と判定できる態様はこれに限定されるものではなく、いくつもの態様を含むことが想定できる。例えば、オブジェクトに対するユーザの押圧入力による押圧荷重が上記荷重基準の値を超えた場合に「荷重基準を満たす」と判定することもできる。また、上記荷重基準の値を示す押圧荷重が荷重検出部４０によって検出された場合に「荷重基準を満たす」と判定することもできる。
【００４５】
また、上述の説明において、「荷重基準を満たさない」判定できる態様についても同様である。すなわち、以下の説明においては、荷重基準の値未満になった場合に「荷重基準を満たさない」と判定する場合について説明する。しかしながら、例えば、オブジェクトに対するユーザの押圧入力による押圧荷重が上記荷重基準の値以下になった場合に「荷重基準を満たさない」と判定することもできる。また、上記荷重基準の値を示す押圧荷重が荷重検出部４０によって検出されなくなった場合に「荷重基準を満たさない」と判定することもできる。
【００４６】
次に、本実施の形態による、フォルダのオープンおよびクローズの動作について説明する。図４は、本実施の形態によりフォルダに対してオープンおよびクローズの動作を行う際の様子を説明する概念図である。本実施の形態では、従来のオペレーティングシステム（ＯＳ）などの基本ソフトウェアで広く用いられている、ディレクトリの階層構造の概念に基づくフォルダを使用する。したがって、本実施の形態で用いる各フォルダ内には、ファイルおよび／または更なるフォルダを複数含めることができる。
【００４７】
本実施の形態では、あるフォルダの内容をユーザが知るために、そのフォルダに含まれるファイルおよび／または他のフォルダの内容（オブジェクト）を表示させることを、そのフォルダを「オープンする」と記す。例えば、図４（Ａ）に示すフォルダＡの中に、フォルダＢ、フォルダＣ、ファイルａ、およびファイルｂが含まれる場合、このフォルダＡをオープンすると、図４（Ｂ）に示すように、フォルダＡに含まれる内容が表示される。また、例えば図４（Ｂ）に示すフォルダＢの中に、フォルダＤ、およびファイルｃが含まれる場合、このフォルダＢをオープンすると、図４（Ｃ）に示すように、フォルダＢに含まれる内容が表示される。
【００４８】
さらに、本実施の形態では、あるフォルダをオープンして、そのフォルダの内容が表示されている場合に、その内容を表示しない状態に戻すことを、そのフォルダを「クローズする」と記す。例えば、図４（Ｃ）においては、フォルダＢに含まれる内容（フォルダＤ、およびファイルｃ）が表示されているが、このフォルダＢをクローズすると、図４（Ｂ）に示すような表示になる。また、例えば図４（Ｂ）においては、フォルダＡに含まれる内容（フォルダＢ、フォルダＣ、ファイルａ、およびファイルｂ）が表示されているが、このフォルダＡをクローズすると、図４（Ａ）に示すような表示になる。
【００４９】
次に、本実施の形態による携帯電話１０のタッチパネル３０に対する押圧荷重の検出について説明する。
【００５０】
本実施の形態の携帯電話１０は、タッチパネル３０の表示部３２に、図４に示したような階層構造を有するフォルダのオブジェクトを表示させることができる。この際、タッチパネル３０の入力部３４は、ユーザの指先やスタイラスなどによる、表示部３２に対する押圧入力を受け付ける。このようにして入力部３４に押圧入力がなされると、荷重検出部４０は、入力部３４に対する押圧荷重を検出する。
【００５１】
図５は、入力部３４に対する、ユーザの指先やスタイラスなどによる押圧荷重を、荷重検出部４０が検出した例を示す図である。図５は、ユーザがタッチパネル３０の入力部３４を押圧する動作により操作入力を行う際の、荷重検出部４０が検出する押圧荷重の時間変化の例を概略的に示している。一般的に、ユーザは、タッチパネル３０の入力部３４を押圧する動作（押圧入力）を行う際、入力部３４に触れてから、入力が受け付けられたと判断できる時点までは、入力部３４に対する押圧力を増大し続ける（つまり入力部３４を押し込む動作を行う）。また、ユーザは、入力が受け付けられたと判断した時点からは、入力部３４に対する押圧力を低減する（つまり入力部３４から指などを離そうとする動作を行う）。したがって、荷重検出部４０が検出する押圧荷重は、図４に示す曲線のように、左から右に時間の経過に従って最初は右上がりに増大し、途中から右下がりに減少する。
【００５２】
ユーザが入力部３４に対して通常の操作入力を行う際は、普段の押圧力に基づいて押圧入力が行われるため、荷重検出部４０は、例えば図５に示すＡ１からＡ２を経るような変化をする押圧荷重を検出する。一方、ユーザが入力部３４に対して通常の操作入力よりも強い押圧力で操作入力を行う際は、意図して普段の押圧力よりも強い押圧力により押圧入力が行われるため、荷重検出部４０は、例えば図５に示すＢ１からＢ２を経るような変化をする押圧荷重を検出する。
【００５３】
このように、本実施の形態では、荷重検出部４０を用いることにより、普段の押圧力による通常の操作入力を想定した荷重基準（例えば図５に示すＰ１）と、普段よりも強い押圧力による操作入力を想定した荷重基準（例えばＰ２）とを、区別して検出できる。さらに、例えば図５に示すＰ１のような荷重基準を設定する場合、この荷重基準を満たさない状態から満たす状態へ変化する押圧入力（図５に示すＡ１）と、この荷重基準を満たす状態から満たさない状態へ変化する押圧入力（図５に示すＡ２）とを区別することもできる。したがって、本実施の形態においては、これら２つの入力を区別して、それぞれに別個の処理を割り当てることができる。
【００５４】
次に、本実施の形態によるフォルダのオープンおよびクローズ処理について説明する。
【００５５】
第１実施の形態では、フォルダのオープンおよびクローズ処理を行うに際して、少なくとも２階層以上の階層構造を有するフォルダがある場合について説明する。これらのフォルダを、説明の便宜上、第１のフォルダ、および第２のフォルダとして説明する。また、第１のフォルダの直下の階層に、第２のフォルダがあるものとする。さらに、本実施の形態では、これらのフォルダ以外にも、第３のフォルダ、および第４のフォルダなどを考慮することもできる。この場合、第２のフォルダの直下の階層に、第３のフォルダがあるものとし、第３のフォルダの直下の階層に、第４のフォルダがあるものとする。以下同様に、任意の数の階層のフォルダについて、本実施の形態を適用することができる。
【００５６】
また、本実施の形態では、フォルダのオープンまたはクローズの動作を行うための基準として、少なくとも、第１の荷重基準と、第２の荷重基準とを設定する。なお、本実施の形態では、第２の荷重基準を、第１の荷重基準よりも高い基準として設定する。さらに、フォルダの階層構造の階層の数に応じて、同様に第３の荷重基準、および第４の荷重基準などを設定することもできる。この場合、第３の荷重基準は第２の荷重基準よりも高い基準に、また第４の荷重基準は第３の荷重基準よりも高い基準に、というように、徐々に高い基準を設定する。
【００５７】
図６は、第１実施の形態に係るフォルダのオープンおよびクローズの処理を説明するフローチャートである。本処理は、タッチパネル３０の入力部３４が押圧入力を検知した時点から開始する。なお、本処理の開始時点においては、上述した第１のフォルダのオブジェクトが表示部３２に表示されているものとする。
【００５８】
第１のフォルダのオブジェクトの位置に対応する入力部３４に対する押圧入力により、入力部３４に入力が検知されると、制御部２０は、第１の荷重基準を満たさない状態から満たす状態へ変化する押圧荷重を荷重検出部４０が検出したか否かを判定する（ステップＳ１１）。なお、図６のフローチャートにおいては、記載の簡略化のため、「基準を満たさない状態から満たす状態」を単に「基準未満→以上」と記す。また、「基準を満たす状態から満たさない状態」は、単に「基準以上→未満」と記す。
【００５９】
ステップＳ１１において、第１の荷重基準を満たさない状態から満たす状態へ変化する押圧荷重が荷重検出部４０により検出されたら、制御部２０は、その第１のフォルダをオープンする（ステップＳ１２）。すなわち、制御部２０は、オープンする第１のフォルダの直下の階層に含まれるファイル、および／または、第２のフォルダのオブジェクトを表示部３２に表示する。
【００６０】
ステップＳ１２の後、制御部２０は、第２の荷重基準を満たさない状態から満たす状態へ変化する押圧荷重を荷重検出部４０が検出したか否かを判定する（ステップＳ１３）。
【００６１】
この後、ステップＳ１３にて、入力部３４に対する、第２の荷重基準を満たさない状態から満たす状態へ変化する押圧荷重が検出された場合、当該第２のフォルダをオープンする（ステップＳ１４）。すなわち、制御部２０は、オープンする第２のフォルダの直下の階層に含まれるファイル、および／または、第３のフォルダのオブジェクトを表示部３２に表示する。なお、第２のフォルダをオープンさせる際の押圧荷重が、第２の荷重基準を満たさない状態から満たす状態へ変化する入力は、第２のフォルダのオブジェクトの位置であってもよいし、また当該第２のフォルダのオブジェクト以外の位置であってもよい。
【００６２】
ステップＳ１４にて第２のフォルダがオープンされた後、制御部２０は、第２の荷重基準を満たす状態から満たさない状態へ変化する押圧荷重を荷重検出部４０が検出したか否かを判定する（ステップＳ１５）。ステップＳ１５にて、第２の荷重基準を満たす状態から満たさない状態へ変化する押圧荷重が検出されない場合、本処理は終了する。しかしながら、この場合においても、第２のフォルダに含まれる第３のフォルダが表示部３２に表示されている際、入力部３４は、第３の荷重基準を満たさない押圧荷重による入力を継続して受け付けることができる。
【００６３】
この後、入力部３４に対する、第３の荷重基準を満たさない状態から満たす状態へ変化する押圧荷重が荷重検出部４０により検出された場合、図６のフローチャートに示す処理が新たに開始されたと考えることができる。この場合、ステップＳ１１以降の処理を繰り返すことになる。本実施の形態においては、このような処理を繰り返すことができるため、ユーザは、第１のフォルダのオブジェクトに対する押圧荷重を徐々に強めることにより、第１のフォルダ、第２のフォルダ、および第３のフォルダを、次々にオープンすることができる。
【００６４】
図７は、上述した本実施の形態の処理に基づいてフォルダを連続してオープンする動作の具体例を説明する図である。図７は、上述した処理を行う際に、荷重検出部４０により検出される、タッチパネル３０の入力部３４に対する押圧荷重の時間的な変化を図の下段に示すとともに、それに伴う表示部３２の表示の変化を図の上段に例示している。なお、図７においては、上述した処理で説明した第１の荷重基準を「荷重基準Ｐ１」と、第２の荷重基準を「荷重基準Ｐ２」と、また第３の荷重基準を「荷重基準Ｐ３」として示してある。
【００６５】
図７（Ａ）に示す状態Ａは、ユーザが、タッチパネル３０の入力部３４に指先などを触れてから、その押圧入力にかかる押圧力を強めている様子を示している。図７（Ａ）においては、入力を検知した入力部３４の位置に対応するフォルダのオブジェクトにはハッチングを付して示してある。このように、入力を検知した入力部３４の位置にフォルダまたはファイルなどのオブジェクトが存在する場合、当該オブジェクトに係る入力が検知されていることをユーザに示すために、オブジェクトに色を付すなどの処理を制御部２０により行うのが好適である。なお、図７（Ａ）においてハッチングを付して示したフォルダに付した矢印は、当該位置にユーザの指先などによる入力が検知されていることを示している。このように入力位置を示すためのオブジェクトは、表示部３２に表示する設定にすることも、または表示しない設定にすることもできる。
【００６６】
図７（Ａ）において、ユーザは、タッチパネル３０の入力部３４上で、左上の第１のフォルダを押圧している。この第１のフォルダを押圧したまま、入力部３４を押圧する押圧荷重が第１の荷重基準Ｐ１を満たさない状態から満たす状態へ変化すると（ステップＳ１１のＹｅｓ）、図７（Ｂ）に示すように、押圧していた第１のフォルダがオープンする（ステップＳ１２）。その後、入力部３４を押圧する押圧荷重が第２の荷重基準Ｐ２を満たさない状態から満たす状態へ変化すると（ステップＳ１３のＹｅｓ）、図７（Ｃ）に示すように、オープンした第１のフォルダに含まれる第２のフォルダがオープンする（ステップＳ１４）。その後も、ユーザは、同様の操作を行うことにより、図７（Ｃ）に示すフォルダを、図７（Ｄ）に示すようにオープンすることができる。
【００６７】
このように、本実施の形態では、ユーザはタッチパネル３０の入力部３４に対する押圧荷重を徐々に強めていくことにより、フォルダを連続的にオープンする動作を行うことができる。したがって、本実施の形態による携帯電話１０は、フォルダのオープンを行うための独自の操作を多数回繰り返す必要はない。このため、時間も手間もかけることなく複数の階層構造を有するフォルダの階層移動を行うことができ、簡単かつ迅速に、確実なフォルダ操作を行うことができる。なお、第１のフォルダがオープンし、当該第１のフォルダの直下の階層に含まれる第２のフォルダが表示部３２に複数個表示された後に、入力部３４を押圧する押圧荷重が第２の荷重基準Ｐ２を満たさない状態から満たす状態へ変化した場合は、複数ある第２のフォルダを全てオープンするのが好適である。また、第１のフォルダに含まれるファイルおよび第２のフォルダが表示部３２に表示されている際に、当該ファイルを開く（実行する）ためのアプリケーションを起動させたい場合も想定される。この場合、ユーザは、第１の荷重基準は満たすが第２の荷重基準は満たさない押圧荷重を入力部３４に与えた状態で、そのファイルのオブジェクトまで入力位置を移動させ、さらに、荷重検出部４０が、第２の荷重基準を満たさない状態から満たす状態へ変化する押圧荷重を検出するように、押圧入力を行えばよい。
【００６８】
一方、ステップＳ１４において第２のフォルダがオープンされた後、ステップＳ１５にて、第２の荷重基準を満たす状態から満たさない状態へ変化する押圧荷重が検出された場合、制御部２０は、第２のフォルダをクローズするように制御する（ステップＳ１６）。すなわち、制御部２０は、オープンされた第２のフォルダの直下の階層に含まれるファイルおよび／または第３のフォルダのオブジェクトを表示部３２に表示しない状態に戻す。この後、処理はステップＳ１３に戻る。
【００６９】
ステップＳ１３に戻った後、入力部３４に対する、第２の荷重基準を満たさない状態から満たす状態へ変化する押圧荷重が検出されない場合、処理はステップＳ１７に移行する。ステップＳ１７において、制御部２０は、第１の荷重基準を満たす状態から満たさない状態へ変化する押圧荷重を荷重検出部４０が検出したか否かを判定する。ステップＳ１７において、第１の荷重基準を満たす状態から満たさない状態へ変化する押圧荷重が検出された場合、制御部２０は、第１のフォルダをクローズするように制御して（ステップＳ１８）、処理を終了する。
【００７０】
以上のフォルダのクローズ処理は、第２のフォルダをクローズした後に第１のフォルダをクローズする場合を説明したが、第３のフォルダをクローズした後に第２のフォルダをクローズする場合などにも同様に適用できる。本実施の形態においては、このような処理を繰り返すことができるため、ユーザは、入力部３４に対する押圧荷重を徐々に弱めることにより、各フォルダを次々にクローズして直近上位のフォルダに移動することができる。
【００７１】
図８は、上述した本実施の形態の処理に基づいてフォルダを連続してクローズする動作の具体例を説明する図である。なお、図８においても、上述した処理で説明した第１の荷重基準を「荷重基準Ｐ１」と、第２の荷重基準を「荷重基準Ｐ２」と、また第３の荷重基準を「荷重基準Ｐ３」として示してある。
【００７２】
図８（Ａ）においては、３つのフォルダがオープンした状態で表示部３２に表示されている。すなわち、最上位から３階層目までのフォルダの内容が表示された状態である。ここでは、第１のフォルダの直下の階層に第２のフォルダがあり、第２のフォルダの直下の階層に第３のフォルダがあり、第３のフォルダの直下の階層にはファイルがある場合の例を説明する。この時、タッチパネル３０の入力部３４を押圧する押圧荷重が第３の荷重基準Ｐ３を満たす状態から満たさない状態へ変化すると（ステップＳ１５のＹｅｓ）、図８（Ｂ）に示すように、第３のフォルダがクローズする（ステップＳ１６）。なお、フォルダをクローズさせる際の、押圧荷重が第３の荷重基準Ｐ３を満たす状態から満たさない状態へ変化する入力は、オープンしていたフォルダのオブジェクトの位置であってもよいし、また当該フォルダ以外の位置であってもよい。
【００７３】
その後、入力部３４を押圧する押圧荷重が第２の荷重基準Ｐ２を満たす状態から満たさない状態へ変化すると（ステップＳ１７のＹｅｓ）、図８（Ｃ）に示すように、第２のフォルダがクローズする（ステップＳ１８）。その後も、ユーザは、同様の操作を行うことにより、図８（Ｃ）に示す第１のフォルダを、図８（Ｄ）に示すようにクローズすることができる。
【００７４】
このように、本実施の形態では、ユーザはタッチパネル３０の入力部３４に対する押圧荷重を徐々に弱めていくことにより、フォルダを連続的にクローズする動作を行うことができる。したがって、本実施の形態による携帯電話１０は、フォルダのクローズを行うための独自の操作を多数回繰り返す必要はない。このため、時間も手間もかけることなく複数の階層構造を有するフォルダの階層移動を行うことができ、簡単かつ迅速に、確実なフォルダ操作を行うことができる。
【００７５】
（第２実施の形態）
次に、本発明の第２実施の形態によるフォルダのクローズ処理について説明する。
【００７６】
第２実施の形態は、例えば上述した第１実施の形態においてフォルダを連続してオープンさせた後に、連続してクローズする処理を変更するものである。上述した第１実施の形態では、タッチパネル３０の入力部３４に対する押圧荷重が徐々に弱まるに連れて、フォルダを連続してクローズする動作を行った。第２実施の形態では、タッチパネル３０の入力部３４に対する押圧荷重が徐々に強まるに連れて、フォルダを連続してクローズする動作を行う。なお、フォルダを連続してオープンする処理は、上述した第１実施の形態と同様にして行うことができるため、第１実施の形態と同じ説明は省略する。
【００７７】
第１実施の形態においては、タッチパネル３０の入力部３４に対する押圧荷重が徐々に強まるに連れてフォルダを連続してオープンさせることができ、その途中で押圧荷重が弱まれば、オープンしたフォルダをクローズすることができた。第２実施の形態では、タッチパネル３０の入力部３４に対する押圧荷重が徐々に強まるに連れてフォルダを連続してオープンさせるが、その途中で押圧荷重が弱まっても、オープンしたフォルダをクローズする処理は行わない。第２実施の形態では、オープンしたフォルダをクローズする動作は、例えば表示部３２におけるフォルダ以外の位置に対応する入力部３４に対する押圧荷重が荷重検出部４０により検出されることに応じて行う。
【００７８】
図９は、第２実施の形態に係るフォルダのクローズ処理を説明するフローチャートである。本処理は、タッチパネル３０の入力部３４が押圧入力を検知した時点から開始する。なお、本処理の開始時点においては、上述した第１実施の形態によるフォルダのオープン処理によりオープンされたフォルダのオブジェクトが表示部３２に表示されているものとする。また、この場合、少なくとも、第１のフォルダと、第１のフォルダ直下の階層に含まれる第２のフォルダとがオープンしている状態で、表示部３２に表示されているものとする。
【００７９】
本処理が開始すると、制御部２０は、入力部３４に対する入力として、第１の荷重基準を満たさない状態から満たす状態へ変化する押圧荷重を荷重検出部４０が検出したか否かを判定する（ステップＳ２１）。ステップＳ２１にて、第１の荷重基準を満たさない状態から満たす状態へ変化する押圧荷重が検出された場合、制御部２０は、第２のフォルダをクローズするように制御する（ステップＳ２２）。
【００８０】
その後、制御部２０は、入力部３４に対する入力として、第２の荷重基準を満たさない状態から満たす状態へ変化する押圧荷重を荷重検出部４０が検出したか否かを判定する（ステップＳ２３）。ステップＳ２３にて、第２の荷重基準を満たさない状態から満たす状態へ変化する押圧荷重が検出された場合、制御部２０は、第１のフォルダをクローズするように制御する（ステップＳ２４）。
【００８１】
図１０は、上述した第２実施の形態の処理に基づいてフォルダを連続してクローズする動作の具体例を説明する図である。なお、図１０においても、上述した処理で説明した第１の荷重基準を「荷重基準Ｐ１」と、第２の荷重基準を「荷重基準Ｐ２」と、また第３の荷重基準を「荷重基準Ｐ３」として示してある。
【００８２】
図１０（Ａ）においては、３つのフォルダがオープンした状態で表示部３２に表示されている。ここでも、図８と同様に、第１のフォルダの直下の階層に第２のフォルダがあり、第２のフォルダの直下の階層に第３のフォルダがあり、第３のフォルダの直下の階層にはファイルがある場合の例を説明する。この時、タッチパネル３０の入力部３４を押圧する押圧荷重が第１の荷重基準Ｐ１を満たさない状態から満たす状態へ変化すると（ステップＳ２１のＹｅｓ）、図１０（Ｂ）に示すように、第３のフォルダがクローズする（ステップＳ２２）。その後、入力部３４を押圧する押圧荷重が第２の荷重基準Ｐ２を満たさない状態から満たす状態へ変化すると（ステップＳ２３のＹｅｓ）、図１０（Ｃ）に示すように、第２のフォルダがクローズする（ステップＳ２４）。その後も、ユーザは、同様の操作を行うことにより、図１０（Ｃ）に示す第１のフォルダを、図１０（Ｄ）に示すようにクローズすることができる。
【００８３】
このように、本実施の形態では、ユーザはタッチパネル３０の入力部３４に対する押圧荷重を徐々に強めていくことにより、フォルダを連続的にクローズする動作を行うことができる。したがって、本実施の形態による携帯電話１０は、フォルダのクローズを行うための独自の操作を多数回繰り返す必要はない。このため、時間も手間もかけることなく複数の階層構造を有するフォルダの階層移動を行うことができ、簡単かつ迅速に、確実なフォルダ操作を行うことができる。
【００８４】
さらに、フォルダを連続してオープンする動作を行っている最中に、ユーザが入力を行っている指先などを入力部３４から一旦離しても、それまでにオープンしていた全てのフォルダがクローズすることなく、フォルダがオープンしたままの状態を保つようにできる。
【００８５】
なお、本発明は、上述した実施の形態にのみ限定されるものではなく、幾多の変更または変形が可能である。例えば、上述した実施の形態においては、各荷重基準の値は、予め設定することを想定したが、必要に応じて、ユーザが適宜変更または調整できるようにするのが望ましい。このようにすれば、操作中に、ユーザが押圧荷重の設定について違和感がある場合、後から適宜設定を修正することができる。
【００８６】
また、上述した各実施の形態では、フォルダなどのオブジェクトに係る入力が検知されていることをユーザに示すため、またはクローズするフォルダを示すために、オブジェクトに色を付してユーザに通知する処理の例を説明した。しかしながら、オブジェクトに係る入力が検知された場合、オブジェクトに色を付す代わりに、または色を付すと共に、振動部５０を振動させて、その旨をユーザに認識させるようにすることもできる。さらに、このような場合、振動の他にも、例えば音声出力部８０から特定の音を発生させてユーザに認識させるようにすることもできる。
【００８７】
さらに、上記実施の形態で説明した以外にも、例えばステップＳ２０やステップＳ２７でも振動部４０を振動させて、ユーザの入力に対する処理が適切に行われていることを示してもよい。
【符号の説明】
【００８８】
１０  携帯電話
２０  制御部
３０  タッチパネル
３２  表示部
３４  入力部
４０  荷重検出部
５０  振動部
６０  記憶部
７０  音声入力部
８０  音声出力部
９０  キー入力部
【図１】
2010181934.tif 000003
【図２】
2010181934.tif 000004
【図３】
2010181934.tif 000005
【図４】
2010181934.tif 000006
【図５】
2010181934.tif 000007
【図６】
2010181934.tif 000008
【図７】
2010181934.tif 000009
【図８】
2010181934.tif 000010
【図９】
2010181934.tif 000011
【図１０】
2010181934.tif 000012
【図１１】
2010181934.tif 000013
【図１２】
2010181934.tif 000014